(57)【特許請求の範囲】
【請求項１】
情報の送受信を行うアンテナと、
タグ情報を記憶するＩＣ回路部と、
このＩＣ回路部及び前記アンテナを接続するための接続端子とを有し、
前記接続端子と前記アンテナとを接合して構成された無線タグＩＣ回路保持体であって、
前記接続端子は、前記無線タグＩＣ回路保持体の厚さ方向一方側及び他方側のうち、少なくともいずれかの側に向かって露出する露出部を備え、
前記アンテナを配設するために前記接続端子の前記厚さ方向一方側に設けたタグ基材を設け、
このタグ基材に、前記接続端子の前記露出部を前記厚さ方向一方側に向かって露出させるための第１開口部を設けたことを特徴とする無線タグＩＣ回路保持体。
【請求項２】
請求項１記載の無線タグＩＣ回路保持体において、
前記接続端子と前記アンテナとを、導電性接着剤層を介し接着固定したことを特徴とする無線タグＩＣ回路保持体。
【請求項３】
請求項２記載の無線タグＩＣ回路保持体において、
前記導電性接着剤層は、前記第１開口部に連通する部分に、当該接着剤のない連通用開口部を備えることを特徴とする無線タグＩＣ回路保持体。
【請求項４】
請求項３記載の無線タグＩＣ回路保持体において、
前記第１開口部及び前記連通用開口部は、略円形の断面形状を備えていることを特徴とする無線タグＩＣ回路保持体。
【請求項５】
請求項４記載の無線タグＩＣ回路保持体において、
前記連通用開口部の径方向寸法を、前記第１開口部の径方向寸法よりも大きくしたことを特徴とする無線タグＩＣ回路保持体。
【請求項６】
請求項３乃至５のいずれか１項記載の無線タグＩＣ回路保持体において、
前記アンテナは、前記第１開口部及び前記連通用開口部にそれぞれ連通するアンテナ開口部を備えることを特徴とする無線タグＩＣ回路保持体。
【請求項７】
請求項２記載の無線タグＩＣ回路保持体において、
前記第１開口部は、前記タグ基材のうち前記アンテナが設けられない部分に配設されており、
前記接続端子の前記露出部は、その第１開口部に臨むように、前記導電性接着剤層の外方まで突出して延設された突出部に備えられていることを特徴とする無線タグＩＣ回路保持体。
【請求項８】
情報の送受信を行うアンテナと、
タグ情報を記憶するＩＣ回路部と、
このＩＣ回路部及び前記アンテナを接続するための接続端子とを有し、
前記接続端子と前記アンテナとを接合して構成された無線タグＩＣ回路保持体であって、
前記接続端子と前記ＩＣ回路部とを備え、前記ＩＣ回路部を保持するための保持部材を有し、
前記接続端子は、前記無線タグＩＣ回路保持体の厚さ方向一方側及び他方側のうち、少なくともいずれかの側に向かって露出する露出部を備え、
前記保持部材に、前記接続端子の前記露出部を前記厚さ方向他方側に向かって露出させるための第２開口部を設けたことを特徴とする無線タグＩＣ回路保持体。
【請求項９】
情報の送受信を行うアンテナと、
タグ情報を記憶するＩＣ回路部とこのＩＣ回路部及び前記アンテナを接続するための導通手段とを有し、
前記導通手段と前記アンテナとを接合して構成された無線タグＩＣ回路保持体であって、
前記導通手段は、前記無線タグＩＣ回路保持体の厚さ方向一方側及び他方側のうち、少なくともいずれかの側に向かって露出する露出部を備え、
前記導通手段は、前記ＩＣ回路部の前記アンテナ側に設けたバンプであり、
このバンプに備えられる前記露出部は、前記厚さ方向一方側に向かって露出することを特徴とする無線タグＩＣ回路保持体。
【請求項１０】
請求項９記載の無線タグＩＣ回路保持体において、
前記アンテナを配設するために前記ＩＣ回路部の前記厚さ方向一方側に設けたタグ基材を有し、
このタグ基材に、前記バンプの前記露出部を前記厚さ方向一方側に向かって露出させるための第３開口部を設けたことを特徴とする無線タグＩＣ回路保持体。
【発明の詳細な説明】
【技術分野】
【０００１】
本発明は、外部と情報の無線通信が可能な無線タグに係わり、特に、その無線タグに備えられる無線タグＩＣ回路保持体に関する。
【背景技術】
【０００２】
小型の無線タグとリーダ（読み取り装置）／ライタ（書き込み装置）との間で非接触で情報の読み取り／書き込みを行うＲＦＩＤ（Radio Frequency Identification）システムが知られている。例えばラベル状の無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用が期待されている。
【０００３】
このような無線タグは、通常、ラベル状又はシート状の素材（基材）上に無線タグ回路素子を設けて形成されることが多い。この無線タグの構成としては、例えば特許文献１に記載のものが知られている。この従来技術では、１つのＩＣ回路部（ＩＣチップ）に導電性接着剤（例えば異方性導電性ペーストAnisotropic Conductive Paste、ＡＣＰ）を介し２つのアンテナ（微小導電性アンテナ）をそれぞれ接合している。そして、これら２つのアンテナ及びＩＣ回路部を備えた接着構造体を、基材上に実装している。
【特許文献１】特開２００３−８５５１３号公報（段落０００２、図２）
【発明の開示】
【発明が解決しようとする課題】
【０００４】
上記従来技術による構造においては、少なくとも、ＩＣ回路部の一方側及び他方側とＡＣＰとの２箇所、ＡＣＰと一方側と他方側のアンテナの２箇所という合計４箇所の接合部が存在する。このため、組み立て完了時には、それらが確実に導通しているか、導通不良が生じている場合にはどの部分が不良であるかの導通検査を行う必要がある。
【０００５】
上記従来技術では、無線タグ回路素子の組み立て完了時にＩＣ回路部やＡＣＰが外部露出する構造となっておらず、２つのアンテナのみが露出する構造であるため、（特許文献１には特に明確には記載されていないが）その露出した２つのアンテナに導通検査用の２つのプローブをそれぞれ接触させ、両プローブ間の導通をチェックすることで導通検査を行わざるを得ない。この場合、一方のプローブ→一方側のアンテナ→ＡＣＰ→ＩＣ回路部の一方側→ＩＣ回路部の他方側→ＡＣＰ→他方側のアンテナ→他方のプローブという導通経路となり、上記４箇所の接合部をすべて包含することとなるため、これら全体の導通の良・不良を検査することはできるが、導通不良が生じた場合に、これら４箇所のどこで導通不良が発生しているかを詳細に検知することはできず、導通性検出精度の向上が困難である。
【０００６】
あるいは、無線タグ回路素子の組み立て後に、リーダ（読み取り装置）側から当該無線タグ回路素子に無線信号を送信し、その応答信号の有無あるいは信号強度等によって当該無線タグ回路素子における導通の良・不良を検査する手法もあるが、この場合も、上記同様、導通不良がどこで発生しているかを詳細に検知することはできず、導通性検出精度の向上が困難であり、またその特性上、同時に複数の無線タグ回路素子を検査することはできない。
【０００７】
本発明の目的は、組み立て完了後の導通検査における導通性検出精度を向上することができる無線タグＩＣ回路保持体を提供することにある。
【課題を解決するための手段】
【０００８】
上記目的を達成するために、第１の発明は、情報の送受信を行うアンテナと、
タグ情報を記憶するＩＣ回路部と、このＩＣ回路部及び前記アンテナを接続するための接続端子とを有し、前記接続端子と前記アンテナとを接合して構成された無線タグＩＣ回路保持体であって、前記接続端子は、前記無線タグＩＣ回路保持体の厚さ方向一方側及び他方側のうち、少なくともいずれかの側に向かって露出する露出部を備え、前記アンテナを配設するために前記接続端子の前記厚さ方向一方側に設けたタグ基材を設け、このタグ基材に、前記接続端子の前記露出部を前記厚さ方向一方側に向かって露出させるための第１開口部を設けたことを特徴とする無線タグＩＣ回路保持体。
【０００９】
本願第１発明においては、接続端子は、その露出部を厚さ方向の一方側又は他方側に露出させていることにより、組み立てが完了した後に、タグ基材に設けた第１開口部を介して、無線タグＩＣ回路保持体の一方側より接続端子の露出部に導通検査用のプローブ等を接触させることが可能である。この結果、アンテナに当該プローブ等を接触させて導通検査を行う場合に比べ、接続端子とＩＣ回路部との結合部分の導通性の良・不良をより直接的に検出することができ、当該部分の導通性検出精度を向上することができる。
【００１４】
第２発明は、上記第１発明において、前記接続端子と前記アンテナとを、導電性接着剤層を介し接着固定したことを特徴とする。
【００１５】
これにより、接続端子とアンテナとを、加熱しながら押圧する等の比較的簡便な手法で接着固定することができる。
【００１６】
第３発明は、上記第２発明において、前記導電性接着剤層は、前記第１開口部に連通する部分に、当該接着剤のない連通用開口部を備えることを特徴とする。
【００１７】
タグ基材に設けた第１開口部、及び、導電性接着剤層に設けた連通用開口部を介し、無線タグＩＣ回路保持体の厚さ方向一方側より接続端子の露出部に導通検査用のプローブ等を接触させ、接続端子とＩＣ回路部との結合部分の導通性の良・不良をより直接的に検出することができる。
【００１８】
第４発明は、上記第３発明において、前記第１開口部及び前記連通用開口部は、略円形の断面形状を備えていることを特徴とする。
【００１９】
これにより、導通検査用のプローブ形状に合致した開口部形状とすることができるので、検査時における不用意なプローブの開口部縁への接触等を防止し、より円滑な検査を行うことができる。
【００２０】
第５発明は、上記第４発明において、前記連通用開口部の径方向寸法を、前記第１開口部の径方向寸法よりも大きくしたことを特徴とする。
【００２１】
これにより、導電性接着剤層の連通用開口部の径方向寸法が小さい場合のようにプローブ挿入時に第１開口部縁部より導電性接着剤がはみ出しプローブに粘着するのを防止できるので、より円滑な検査を行うことができる。
【００２２】
第６発明は、上記第３乃至第５発明のいずれか１つにおいて、前記アンテナは、前記第１開口部及び前記連通用開口部にそれぞれ連通するアンテナ開口部を備えることを特徴とする。
【００２３】
タグ基材に設けた第１開口部、アンテナに設けたアンテナ開口部、及び、導電性接着剤層に設けた連通用開口部を介し、無線タグＩＣ回路保持体の厚さ方向一方側より接続端子の露出部に導通検査用のプローブ等を接触させ、接続端子とＩＣ回路部との結合部分の導通性の良・不良をより直接的に検出することができる。
【００２４】
第７発明は、上記第１発明において、前記第１開口部は、前記タグ基材のうち前記アンテナが設けられない部分に配設されており、前記接続端子の前記露出部は、その第１開口部に臨むように、前記導電性接着剤層の外方まで突出して延設された突出部に備えられていることを特徴とする。
【００２５】
タグ基材のうちアンテナのない部分に第１開口部を設け、これに臨むように接続端子の突出部を設けて露出部とすることにより、アンテナや導電性接着剤層に開口部を設けなくても、タグ基材の第１開口部を介し、無線タグＩＣ回路保持体の厚さ方向一方側より接続端子の当該露出部に導通検査用のプローブ等を接触させ、接続端子とＩＣ回路部との結合部分の導通性の良・不良をより直接的に検出することができる。
【００２６】
上記目的を達成するために、第８発明は、情報の送受信を行うアンテナと、タグ情報を記憶するＩＣ回路部と、このＩＣ回路部及び前記アンテナを接続するための接続端子とを有し、前記接続端子と前記アンテナとを接合して構成された無線タグＩＣ回路保持体であって、前記接続端子と前記ＩＣ回路部とを備え、前記ＩＣ回路部を保持するための保持部材を有し、前記接続端子は、前記無線タグＩＣ回路保持体の厚さ方向一方側及び他方側のうち、少なくともいずれかの側に向かって露出する露出部を備え、前記保持部材に、前記接続端子の前記露出部を前記厚さ方向他方側に向かって露出させるための第２開口部を設けたことを特徴とする。
【００２７】
保持部材に設けた第２開口部を介して、無線タグＩＣ回路保持体の他方側より接続端子の露出部に導通検査用のプローブ等を接触させ、接続端子とＩＣ回路部との結合部分の導通性の良・不良をより直接的に検出することができる。
【００３０】
上記目的を達成するために、第９発明は、情報の送受信を行うアンテナと、タグ情報を記憶するＩＣ回路部とこのＩＣ回路部及び前記アンテナを接続するための導通手段とを有し、前記導通手段と前記アンテナとを接合して構成された無線タグＩＣ回路保持体であって、前記導通手段は、前記無線タグＩＣ回路保持体の厚さ方向一方側及び他方側のうち、少なくともいずれかの側に向かって露出する露出部を備え、前記導通手段は、前記ＩＣ回路部の前記アンテナ側に設けたバンプであり、このバンプに備えられる前記露出部は、前記厚さ方向一方側に向かって露出することを特徴とする。
【００３１】
ＩＣ回路部のアンテナ側に位置するバンプの露出部を厚さ方向の一方側に露出させることにより、組み付け製造が完了した後に当該露出部に導通検査用のプローブ等を接触させることができる。この結果、バンプとＩＣ回路部との結合部分の導通性の良・不良をより直接的に検出することができ、当該部分の導通性検出精度を向上することができる。
【００３２】
第９発明は、上記第８発明において、前記アンテナを配設するために前記ＩＣ回路部の前記厚さ方向一方側に設けたタグ基材を有し、このタグ基材に、前記バンプの前記露出部を前記厚さ方向一方側に向かって露出させるための第３開口部を設けたことを特徴とする。
【００３３】
タグ基材に設けた第３開口部を介して、無線タグＩＣ回路保持体の一方側よりバンプの露出部に導通検査用のプローブ等を接触させ、バンプとＩＣ回路部との結合部分の導通性の良・不良をより直接的に検出することができる。
【発明の効果】
【００３４】
本発明によれば、組み立て完了後の導通検査における導通性検出精度を向上することができる。
【発明を実施するための最良の形態】
【００３５】
以下、本発明の一実施の形態を図面を参照しつつ説明する。この実施形態は、本発明を無線タグラベルの生成システムに適用した場合の実施形態である。
【００３６】
図１は、本実施形態の無線タグＩＣ回路保持体を含む無線タグラベルを生成するタグラベル作成装置を有する無線タグ生成システムを表すシステム構成図である。
【００３７】
図１に示すこの無線タグ生成システム１において、タグラベル作成装置２は、有線あるいは無線による通信回線３を介してルートサーバ４、端末５、汎用コンピュータ６、及び複数の情報サーバ７に接続されている。
【００３８】
図２は、上記タグラベル作成装置２の詳細構造を表す概念的構成図である。
【００３９】
図２において、タグラベル作成装置２の装置本体８には、凹所としてのカートリッジホルダ部（図示せず）が設けられ、このホルダ部にカートリッジ１００が着脱可能に取り付けられている。
【００４０】
装置本体８は、カートリッジ１００を嵌合させる上記カートリッジホルダ部を備えるとともに外郭を構成する筐体９と、カバーフィルム１０３に所定の印字（印刷）を行う印字ヘッド（サーマルヘッド）１０と、カバーフィルム１０３への印字が終了したインクリボン１０５を駆動するリボン巻取りローラ駆動軸１１と、カバーフィルム（被印字テープ）１０３と帯状の基材テープ（タグテープ）１０１とを貼り合わせつつ印字済タグラベル用テープ１１０としてカートリッジ１００から繰り出すためのテープ送りローラ駆動軸１２と、印字済タグラベル用テープ１１０に備えられる無線タグ回路素子Ｔo（詳細は後述）との間でＵＨＦ帯等の高周波を用いて無線通信により信号の授受を行うアンテナ１４と、上記印字済タグラベル用テープ１１０を所定のタイミングで所定の長さに切断しラベル状の無線タグラベルＴ(詳細は後述)を生成するカッタ１５と、上記無線通信による信号授受時において無線タグ回路素子Ｔoをアンテナ１４に対向する所定のアクセスエリアに設定保持するとともに切断後の各無線タグラベルＴを案内するための一対の搬送ガイド１３と、その案内された無線タグラベルＴを搬出口（排出口）１６へと搬送し送出する送出ローラ１７と、搬出口１６における無線タグラベルＴの有無を検出するセンサ１８とを有している。
【００４１】
センサ１８は、例えば投光器及び受光器からなる反射型の光電センサである。投光器と受光器との間に無線タグラベルＴが存在しない場合には、その投光器から出力された光が受光器に入力される。一方、投光器と受光器との間に無線タグラベルＴが存在する場合には、投光器から出力された光が遮蔽されて受光器からの制御出力が反転させられるようになっている。
【００４２】
一方、装置本体８はまた、上記アンテナ１４を介し上記無線タグ回路素子Ｔoへアクセスする（読み取り又は書き込みを行う）ための高周波回路２１と、無線タグ回路素子Ｔoから読み出された信号を処理するための信号処理回路２２と、前述したリボン巻取りローラ駆動軸１１及びテープ送りローラ駆動軸１２を駆動するカートリッジ用モータ２３と、このカートリッジ用モータ２３の駆動を制御するカートリッジ駆動回路２４と、上記印字ヘッド１０への通電を制御する印刷駆動回路２５と、上記カッタ１５を駆動して切断動作を行わせるソレノイド２６と、そのソレノイド２６を制御するソレノイド駆動回路２７と、上記送出ローラ１７を駆動する送出ローラ用モータ２８と、この送出ローラ用モータ２８を制御する送出ローラ駆動回路２９と、上記高周波回路２１、信号処理回路２２、カートリッジ駆動回路２４、印刷駆動回路２５、ソレノイド駆動回路２７、送出ローラ駆動回路２９等を介し、タグラベル作成装置２全体の動作を制御するための制御回路３０とを有する。
【００４３】
制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。またこの制御回路３０は、入出力インターフェイス３１を介し例えば通信回線３に接続され、この通信回線３に接続された前述のルートサーバ４、他の端末５、汎用コンピュータ６、及び情報サーバ７等との間で情報のやりとりが可能となっている。
【００４４】
図４は、上記タグラベル作成装置２に備えられた上記カートリッジ１００の詳細構造を説明するための説明図である。
【００４５】
この図４において、カートリッジ（無線タグカートリッジ）１００は、上記基材テープ１０１が巻回された第１ロール（タグテープロール）１０２と、上記基材テープ１０１と略同じ幅である透明な上記カバーフィルム１０３が巻回された第２ロール１０４と、上記インクリボン１０５（熱転写リボン、但しカバーフィルム１０３が感熱テープの場合は不要）を繰り出すリボン供給側ロール１１１と、印字後のインクリボン１０５を巻き取る上記リボン巻取りローラ１０６と、上記基材テープ１０１とカバーフィルム１０３とを押圧し接着させ上記印字済タグラベル用テープ１１０としつつ矢印Ａで示す方向にテープ送りをする圧着ローラ１０７とを有している。
【００４６】
第１ロール１０２は、リール部材１０２ａの周りに、長手方向に複数の無線タグ回路素子Ｔoが所定の等間隔で順次形成された上記基材テープ１０１を巻回している。
【００４７】
基材テープ１０１はこの例では４層構造となっており（図４中部分拡大図参照）、内側に巻かれる側（図４中右側）よりその反対側（図４中左側）へ向かって、適宜の粘着材からなる粘着層１０１ａ、ＰＥＴ（ポリエチレンテレフタラート）等から成る色付きのベースフィルム１０１ｂ（タグ基材）、適宜の粘着材からなる粘着層１０１ｃ、剥離紙１０１ｄの順序で積層され構成されている。
【００４８】
ベースフィルム１０１ｂの裏側（図４中左側）には、情報の送受信を行うアンテナ１５２Ａ，１５２Ｂが一体的に設けられており、これに接続するように保持部材としての保護フィルム１６０（ストラップフィルム）が設けられている。保護フィルム１６０は、上記ＩＣ回路部１５１と、このＩＣ回路部１５１とアンテナ１５２Ａ，１５２Ｂとを接続する（例えば銀ペーストによってＩＣ回路部１５１の電極と接続された）接続端子１５９Ａ，１５９Ｂ（導通手段）とを備えており、それらを略覆うように配置されている。このとき、上記接続端子１５９Ａ，１５９Ｂが導電性の接着剤層Ｊ（例えば異方性導電性ペースト、いわゆるＡＣＰ）を介しアンテナ１５２Ａ，１５２Ｂの端部に設けられた接続端部１５２ａ、１５２ｂに接着されることによって、保護フィルム１６０はアンテナ１５２Ａ，１５２Ｂに接合されている。これらＩＣ回路部１５１及び接続端子１５９Ａ，１５９Ｂを備えた保護フィルム１６０と、アンテナ１５２Ａ，１５２Ｂと、接着剤層Ｊ等によって無線タグＩＣ回路保持体Ｈが構成されている。なお、ＩＣ回路部１５１とアンテナ１５２Ａ，１５２Ｂとによって無線タグ回路素子Ｔoが構成されている。
【００４９】
ベースフィルム１０１ｂの表側（図４中右側）には、後にカバーフィルム１０３を接着するための上記粘着層１０１ａが形成され、またベースフィルム１０１ｂの裏側（図４中左側）には、無線タグＩＣ回路保持体Ｈを内包するように設けた上記粘着層１０１ｃによって上記剥離紙１０１ｄがベースフィルム１０１ｂに接着されている。なお、この剥離紙１０１ｄは、最終的にラベル状に完成した無線タグラベルＴが所定の商品等に貼り付けられる際に、これを剥がすことで粘着層１０１ｃにより当該商品等に接着できるようにしたものである。
【００５０】
第２ロール１０４は、リール部材１０４ａの周りに上記カバーフィルム１０３を巻回している。カバーフィルム１０３は、その裏面側（すなわち上記基材テープ１０１と接着される側）に配置されたリボン供給側ロール１１１及びリボン巻取りローラ１０６で駆動されるインクリボン１０５が、上記印字ヘッド１０に押圧されることで当該カバーフィルム１０３の裏面に当接させられるようになっている。
【００５１】
リボン巻取りローラ１０６及び圧着ローラ１０７は、それぞれカートリッジ１００外に設けた例えばパルスモータである上記カートリッジ用モータ２３（前述の図２参照）の駆動力が上記リボン巻取りローラ駆動軸１１及び上記テープ送りローラ駆動軸１２に伝達されることによって回転駆動される。
【００５２】
上記構成のカートリッジ１００において、上記第１ロール１０２より繰り出された基材テープ１０１は、圧着ローラ１０７へと供給される。一方、第２ロール１０４より繰り出されるカバーフィルム１０３は、上述したようにその裏面にインクリボン１０５が当接させられるようになっている。
【００５３】
そして、カートリッジ１００が上記装置本体８のカートリッジホルダ部に装着されロールホルダ（図示せず）が離反位置から当接位置に移動されると、カバーフィルム１０３及びインクリボン１０５が印字ヘッド１０とプラテンローラ１０８との間に狭持されるとともに、基材テープ１０１及びカバーフィルム１０３が圧着ローラ１０７とサブローラ１０９との間に狭持される。そして、カートリッジ用モータ２３の駆動力によってリボン巻取りローラ１０６及び圧着ローラ１０７が矢印Ｂ及び矢印Ｄで示す方向にそれぞれ同期して回転駆動される。このとき、前述のテープ送りローラ駆動軸１２と上記サブローラ１０９及びプラテンローラ１０８はギヤ（図示せず）にて連結されており、テープ送りローラ駆動軸１２の駆動に伴い圧着ローラ１０７、サブローラ１０９、及びプラテンローラ１０８が回転し、第１ロール１０２から４層構造の基材テープ１０１が繰り出され、上述のように圧着ローラ１０７へ供給される。一方、第２ロール１０４からはカバーフィルム１０３が繰り出されるとともに、上記印刷駆動回路２５により印字ヘッド１０の複数の発熱素子が通電される。この結果、カバーフィルム１０３の裏面（＝粘着層１０１ａ側の面）に所定の文字、記号、バーコード等の印字Ｒ（後述の図１１参照）が印刷（但し裏面から印刷するので印刷側から見て鏡面対称の文字等を印刷している）される。そして、上記４層構造の基材テープ１０１と上記印刷が終了したカバーフィルム１０３とが上記圧着ローラ１０７及びサブローラ１０９により接着されて一体化され、印字済タグラベル用テープ１１０として形成され、カートリッジ１００外へと搬出される。なお、カバーフィルム１０３への印字が終了したインクリボン１０５は、リボン巻取りローラ駆動軸１１の駆動によりリボン巻取りローラ１０６に巻取られる。
【００５４】
図３は、上記高周波回路２１の詳細機能を表す機能ブロック図である。この図３において、高周波回路２１は、アンテナ１４を介し無線タグ回路素子Ｔoに対して信号を送信する送信部３２と、アンテナ１４により受信された無線タグ回路素子Ｔoからの反射波を入力する受信部３３と、送受分離器３４とから構成される。
【００５５】
送信部３２は、無線タグ回路素子ＴoのＩＣ回路部１５１の無線タグ情報にアクセスする(読み取り又は書き込みを行う)ための搬送波を発生させる水晶振動子３５、ＰＬＬ（Phase
Locked Loop）３６、及びＶＣＯ（Voltage Controlled  Oscillator）３７と、上記信号処理回路２２から供給される信号に基づいて上記発生させられた搬送波を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波を増幅する送信アンプ３９とを備えている。そして、上記発生される搬送波は、好適にはＵＨＦ帯やマイクロ波帯の周波数を用いており、上記送信アンプ３９の出力は、送受分離器３４を介してアンテナ１４に伝達されて無線タグ回路素子ＴoのＩＣ回路部１５１に供給される。
【００５６】
受信部３３は、アンテナ１４により受信された無線タグ回路素子Ｔoからの反射波と上記発生させられた搬送波とを掛け合わせる受信第１乗算回路４０と、その受信第１乗算回路４０の出力から必要な帯域の信号のみを取り出すための第１バンドパスフィルタ４１と、この第１バンドパスフィルタ４１の出力を増幅する受信第１アンプ４３と、この受信第１アンプ４３の出力をさらに増幅してデジタル信号に変換する第１リミッタ４２と、上記アンテナ１４により受信された無線タグ回路素子Ｔoからの反射波と上記発生された後に移相器４９で位相が９０°ずらされた搬送波とを掛け合わせる受信第２乗算回路４４と、その受信第２乗算回路４４の出力から必要な帯域の信号のみを取り出すための第２バンドパスフィルタ４５と、この第２バンドパスフィルタ４５の出力を増幅する受信第２アンプ４７と、この受信第２アンプ４７の出力をさらに増幅してデジタル信号に変換する第２リミッタ４６と備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。
【００５７】
また、受信第１アンプ４３及び受信第２アンプ４７の出力は、ＲＳＳＩ（Received  Signal  Strength  Indicator)回路４８にも入力され、それらの信号の強度を示す信号「ＲＳＳＩ」が信号処理回路２２に入力されるようになっている。このようにして、タグラベル作成装置２では、Ｉ−Ｑ直交復調によって無線タグ回路素子Ｔoからの反射波の復調が行われる。
【００５８】
図５は、上記した第１ロール１０２のより詳細な構造を表す概念的側面図である。前述したように、第１ロール１０２に巻回された基材テープ１０１は、その長手方向に無線タグ回路素子Ｔoを備えた複数の上記無線タグＩＣ回路保持体Ｈが例えば等間隔で順次形成されている。
【００５９】
図６は、上記第１ロール１０１に巻回された基材テープ１０１に備えられた上記無線タグＩＣ回路保持体Ｈ及びその周辺部の詳細構造を表す、図４の部分拡大図中VI−VI′断面による矢視断面図である。また図７は、図６中Ａ部を抽出して示す部分拡大上面図であり、図８（ａ）は、図７中VIII−VIII′断面による側断面図である。また図８（ｂ）は、図８（ａ）の下面図であり、図９（ａ）は、図８中IXA−IXA′断面で見た図であり、図９（ｂ）は、図８中IXB−IXB′断面で見た図である。
【００６０】
これら図６、図７、図８、及び図９に示すように、上記ＩＣ回路部１５１、上記接続端子１５９Ａ，１５９Ｂ、及びアンテナ１５２Ａ，１５２Ｂの上記接続端部１５２ａ，１５２ｂを略覆うように配設された上記保護フィルム１６０と、上記保護フィルム１６０内に備えられたＩＣ回路部１５１と接続される側に複数の接続端部１５２ａ，１５２ｂをそれぞれ備え情報の送受信を行う２つの上記アンテナ１５２Ａ，１５２Ｂと、上記ＩＣ回路部１５１と、このＩＣ回路部１５１と２つの接続端部１５２ａ，１５２ｂとをそれぞれ接続するために保護フィルム１６０内に備えられ、上記接続端子１５９Ａ，１５９Ｂと、上記２つの接続端部１５２ａ，１５２ｂと接続端子１５９Ａ，１５９Ｂとを接着する接着剤層Ｊとが設けられている。言い換えれば、保護フィルム１６０は、接続端子１５９Ａ，１５９Ｂを介して、アンテナ１５２Ａ，１５２Ｂと接合されている。
【００６１】
また、図８に示すように、アンテナ１５２Ａ，１５２Ｂには開口部２０１Ａ，２０１Ｂ（アンテナ開口部）が設けられており、ベースフィルム１０１ｂには、それら開口部２０１Ａ，２０１Ｂとほぼ同径でそれらに連通する開口部２００Ａ，２００Ｂ（第１開口部）が設けられている。また、接続端子１５９Ａ，１５９Ｂとアンテナ１５２Ａ，１５２Ｂとを接着する上記接着剤層Ｊには、開口部２００Ａ，２００Ｂ及び２０１Ａ，２０１Ｂの直径よりも大きな連通用開口部２０２Ａ，２０２Ｂを設けてある。
【００６２】
このように開口部２００Ａ，２００Ｂ、開口部２０１Ａ，２０１Ｂ、及び連通用開口部２０２Ａ，２０２Ｂを設けることによって、接続端子１５９Ａ，１５９Ｂの一部（露出部）１５９Ｘを、無線タグＩＣ回路保持体Ｈのベースフィルム側１０１ｂに向かって露出させる構造とすることができる。
【００６３】
図１０は、上記無線タグ回路素子Ｔoの機能的構成を表す機能ブロック図である。この図１０において、無線タグ回路素子Ｔoは、タグラベル作成装置２側のアンテナ１４とＵＨＦ帯等の高周波を用いて非接触で信号の送受信を行う上記アンテナ１５２と、このアンテナ１５２に接続された上記ＩＣ回路部１５１とを有している。
【００６４】
ＩＣ回路部１５１は、アンテナ１５２により受信された搬送波を整流する整流部１５３と、この整流部１５３により整流された搬送波のエネルギを蓄積しＩＣ回路部１５１の駆動電源とするための電源部１５４と、上記アンテナ１５２により受信された搬送波からクロック信号を抽出して制御部１５５に供給するクロック抽出部１５６と、所定の情報信号を記憶し得る情報記憶手段として機能するメモリ部１５７と、上記アンテナ１５２に接続された変復調部１５８と、上記整流部１５３、クロック抽出部１５６、及び変復調部１５８等を介して上記無線タグ回路素子Ｔoの作動を制御するための上記制御部１５５とを備えている。
【００６５】
変復調部１５８は、アンテナ１５２により受信された上記タグラベル作成装置２のアンテナ１４からの通信信号の復調を行うと共に、上記制御部１５５からの返信信号に基づき、アンテナ１５２より受信された搬送波を変調し、アンテナ１５２より反射波として再送信する。
【００６６】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００６７】
クロック抽出部１５６は受信した信号からクロック成分を抽出して制御部１５５にクロックを抽出するものであり、受信した信号のクロック成分の速度に対応したクロックを制御部１５５に供給する。
【００６８】
図１１（ａ）及び図１１（ｂ）は、上述のようにして無線タグ回路素子Ｔoの情報読み取り（又は書き込み）及び印字済タグラベル用テープ１１０の切断が完了し形成された無線タグラベルＴの外観の一例を表す図であり、図１１（ａ）は上面図、図１１（ｂ）は下面図である。また図１２は、図１１中XII−XII′断面(前述の図６においてはxii−xii′断面に相当)による横断面図であり、図１３は、図１１中XIII−XIII′断面(前述の図６においてはxiii−xiii′断面に相当)による横断面図である。
【００６９】
これら図１１（ａ）、図１１（ｂ）、図１２及び図１３において、無線タグラベルＴは、図４に示した４層構造にカバーフィルム１０３が加わった５層構造となっており、カバーフィルム１０３側（図１２及び図１３中上側）よりその反対側（図１２及び図１３中下側）へ向かって、カバーフィルム１０３、粘着層１０１ａ、ベースフィルム１０１ｂ、粘着層１０１ｃ、剥離紙１０１ｄで５層を構成している。そして、前述のようにベースフィルム１０１ｂの裏側に設けられたアンテナ１５２とこれに接着剤層Ｊを介し接合された保護フィルム１６０とが粘着層１０１ｃ内に備えられるとともに、カバーフィルム１０３の裏面に印字Ｒ（この例では無線タグラベルＴの種類を示す「ＲＦ−ＩＤ」の文字）が印刷されている。
【００７０】
図１４は、上述したようなタグラベル作成装置２による無線タグ回路素子ＴoのＩＣ回路部１５１の無線タグ情報へのアクセス(読み取り又は書き込み)に際して、上記した端末５又は汎用コンピュータ６に表示される画面の一例を表す図である。
【００７１】
図１４において、この例では、タグラベル種別、無線タグ回路素子Ｔoに対応して印刷された印字文字Ｒ、その無線タグ回路素子Ｔoに固有のＩＤであるアクセス（読み取り又は書き込み）ＩＤ、上記情報サーバ７に記憶された物品情報のアドレス、及び上記ルートサーバ４におけるそれらの対応情報の格納先アドレス等が前記端末５又は汎用コンピュータ６に表示可能となっている。そして、タグ作成時に、その端末５又は汎用コンピュータ６の操作によりタグラベル作成装置２が作動されて、カバーフィルム１０３に上記印字文字Ｒが印刷されると共に、ＩＣ回路部１５１に予め記憶された上記読み取りＩＤ及び物品情報等の無線タグ情報が読みとられる（又はＩＣ回路部１５１に上記書き込みＩＤ及び物品情報等の情報が書き込まれる）。
【００７２】
なお、上記においては、印刷動作に伴い搬送ガイド１３を移動中の印字済タグラベル用テープ１１０に対してアクセスエリア内に保持してアクセス（読み取り又は書き込み）するようにした例を示したが、これに限られず、その印字済タグラベル用テープ１１０を所定位置で停止させて搬送ガイド１３にて保持した状態で上記アクセスを行うようにしてもよい。
【００７３】
また、上記のような読み取り又は書き込みの際、生成された無線タグラベルＴのＩＤとその無線タグラベルＴのＩＣ回路部１５１から読みとられた情報（又はＩＣ回路部１５１に書き込まれた情報）との対応関係は、前述のルートサーバ４に記憶され、必要に応じて参照できるようになっている。
【００７４】
図１５は、図８に示した無線タグＩＣ回路保持体Ｈを構成するための製造手順の一例を表す説明図である。図１５の下側に示す部品（アンテナ側モジュール）には、ベースフィルム１０１ｂ上の所定位置にアンテナ１５２Ａ，１５２Ｂを配置している。このベースフィルム１０１ｂ及びアンテナ１５２Ａ，１５２Ｂの所定の位置には、予め開口部２００Ａ，２００Ｂ及び開口部２０１Ａ，２０１Ｂを設けてある。
【００７５】
一方、図１５の上側に示す部品（チップ側モジュール）は、ＩＣ回路部１５１と、このＩＣ回路部１５１のの回路部電極（図示せず）と接続するように設けられた接続端子１５９Ａ，１５９Ｂと、これら接続端子１５９Ａ，１５９Ｂの下部にそれぞれ塗布された未固化状態の接着剤（例えば熱可塑性樹脂）による接着剤層Ｊoと、ＩＣ回路部１５１及び接続端子１５９Ａ，１５９Ｂを保護するための保護フィルム１６０とから構成されている。これを、図中白矢印のように上記アンテナ１５２の接続端部１５２ａ，１５２ｂに対し、図中上方から押圧しつつ（適宜加熱して）密着させる。この押圧により、保護フィルム１６０側に備えられる接続端子１５９Ａ，１５９Ｂと、上記アンテナ接続端部１５２ａ，１５２ｂとの間に位置する上記接着剤層Ｊoの大部分が比較的薄く平面状に広がって、前述の接着剤層Ｊを簡便な手法で形成することができる。
【００７６】
このとき、図８及び図１５に示したように、接着剤層Ｊo（上記ＡＣＰ、あるいはフィルム状のＡＣＦ等の導電性接着剤層）の連通用開口部２０２Ａ，２０２Ｂの径を、アンテナ１５２Ａ，１５２Ｂの開口部２０１Ａ，２０１Ｂの径よりも大きくしておくことによって、開口部２０１Ａ，２０１Ｂの縁部より導電性接着剤がはみ出して、導通検査用のプローブに粘着する不具合を防止することができる。したがって、導通不良を未然防止し、より円滑な検査を行うことができる。
【００７７】
図１６は、ＩＣ回路部１５１の導通検査を行う様子を表す断面図である。本実施形態の無線タグＩＣ回路保持体Ｈによれば、無線タグＩＣ回路保持体Ｈの組み付け製造が完了した後に、開口部２００Ａ，２００Ｂ及び開口部２０１Ａ，２０１Ｂに対して導通検査用プローブ２０８Ａ，２０８Ｂを挿入し、導通検査用プローブ２０８Ａ，２０８Ｂを接続端子１５９Ａ，１５９Ｂの露出部１５９Ｘ，１５９Ｘと接触させて、検査装置２０６によるＩＣ回路部１５１の導通検査を行うことが可能となる。この結果、従来のように例えばアンテナ１５２Ａ及びアンテナ１５２Ｂに導通検査用プローブを接触させて導通検査を行う場合と異なり、例えば接続端子１５９Ａ，１５９ＢとＩＣ回路部１５１との結合部分Ｙ，Ｙの導通性やＩＣ回路部１５１の良・不良を、より直接的に検出することができ、当該結合部分Ｙ，Ｙの導通性検出精度を向上することが可能となる。さらには図示を省略するが接続端子１５９Ａとアンテナ１５２Ａの双方に導通検査用プローブを接触させればＡＣＰにより接合した接着剤層Ｊｏの導通検査を行うこともできる。
【００７８】
また、本実施形態では特に、開口部２００Ａ，２００Ｂ及び開口部２０１Ａ，２０１Ｂ，２０２Ａ，２０２Ｂの断面形状を略円形として導通検査用のプローブ（後述）の形状に合致させるようにしている。これにより、検査時における不用意なプローブの開口部縁への接触等を防止して、より円滑な検査を行うことができる。なお、開口部の形状は、図示のような略円筒形状の貫通孔に限られず、例えば円錐形状にしてもよい。さらに断面円形にも限られず、楕円形、四角形、多角形等の他の形状でもよいし、また貫通孔にも限られず、幅方向（例えば図８中上下方向）一方側から切り込むように設けたＵ字状の切欠きや、スリット等としてもよい。
【００７９】
なお、本発明は、上記実施形態に限られるものではなく、その趣旨及び技術的思想を逸脱しない範囲内で、種々の変形が可能である。以下、そのような変形例を説明する。
【００８０】
（１）ベースフィルムの第１開口部をアンテナが存在しない部分に設けた場合
図１７（ａ）は、本変形例による無線タグＩＣ回路保持体Ｈの全体構造を表す側断面図である。図１７（ｂ）は図１７（ａ）中XVIIB−XVIIB′断面で見た一部透視図であり、図１７（ｃ）は図１７（ａ）中XVIIC−XVIIC′断面で見た図である。上記実施形態と同等の部分には同一の符号を付し、適宜説明を省略する。
【００８１】
これら図１７（ａ）〜図１７（ｃ）に示すように、接続端子１５９Ａ，１５９Ｂの一部には突出部１５９ｃ，１５９ｄ（突出電極）が備えられている。また、接着剤層Ｊは、アンテナ１５２Ａ，１５２Ｂの開口部２０１Ａ，２０１Ｂを避けるように設けられており、ベースフィルム１０１ｂのアンテナ１５２Ａ，１５２Ｂが存在しない位置には、開口部２００Ａ，２００Ｂが設けられている。そして、突出部１５９ｃ，１５９ｄには、導電性の接着剤層Ｊを避けるようにして、またアンテナ１５２Ａ，１５２Ｂ及びベースフィルム１０１ｂの開口部２０１Ａ，２０１Ｂ及び開口部２００Ａ，２００Ｂを臨むように設けられた、露出部１５９Ｘが備えられている。
【００８２】
本変形例によれば、アンテナ１５２Ａ，１５２Ｂや導電性の接着剤層Ｊに開口部を設けなくても、ベースフィルム１０１ｂの開口部２００Ａ，２００Ｂを介し、無線タグＩＣ回路保持体Ｈの厚さ方向一方側（この例では図示下方側）から、突出部１５９ｃ，１５９ｄの露出部１５９Ｘに前述した導通検査用のプローブ等を接触させることで、上記実施形態と同様、接続端子１５９Ａ，１５９ＢとＩＣ回路部１５１との結合部分Ｙの導通性の良・不良をより直接的に検出することができる。
【００８３】
（２）保護フィルムに、上開口部を設けた場合
図１８（ａ）は、本変形例による無線タグＩＣ回路保持体Ｈの全体構造を表す縦断面図であり、図１８（ｂ）は図１８（ａ）に示す構造の上面図である。
【００８４】
図１８（ａ）及び図１８（ｂ）において、この変形例では、ＩＣ回路部１５１、接続端子１５９Ａ，１５９Ｂ、及びアンテナ１５２Ａ，１５２Ｂを略覆うように配設された上記保護フィルム１６０に、厚さ方向他方側（この例では図示上方）への開口部２２０Ａ，２２０Ｂ（第２開口部）を設け、接続端子１５９Ａ，１５９Ｂの露出部１５９Ｘ，１５９Ｘを露出させている。なお、開口部２２０Ａ，２２０Ｂは、図１８に示すような円筒形の貫通孔としてもよいが、前述の実施形態と同様、略円錐形状としたり、Ｕ字状切欠き、スリット等としてもよい。
【００８５】
本変形例によれば、開口部２２０Ａ，２２０Ｂに導通検査用プローブを挿入して、接続端子１５９Ａ，１５９Ｂの露出部１５９Ｘ，１５９Ｘに接触させることにより、上記実施形態同様、接続端子１５９Ａ，１５９ＢとＩＣ回路部１５１との結合部分Ｙの導通性の良・不良をより直接的に検出することができる。
【００８６】
（３）保護フィルムから接続端子をはみ出させて露出部とした場合
図１９（ａ）は、本変形例による無線タグＩＣ回路保持体Ｈの全体構造を表す縦断面図であり、図１９（ｂ）は図１９（ａ）に示す構造の下面図である。
【００８７】
図１９（ａ）及び図１９（ｂ）において、この変形例では、ＩＣ回路部１５１、接続端子１５９Ａ，１５９Ｂ、及びアンテナ１５２Ａ，１５２Ｂを略覆うように配設された上記保護フィルム１６０の基材長手方向（図中左右方向）長さ寸法を、接続端子１５９Ａ，１５９Ｂの長さ寸法よりも小さくし、接続端子１５９Ａ，１５９Ｂの端部（端子露出部）１５９Ｘ，１５９Ｘを露出させている。
【００８８】
この端子露出部１５９Ｘ，１５９Ｘを介し導通検査用プローブを接続端子１５９Ａ，１５９Ｂに接触させることにより、上記実施形態同様、接続端子１５９Ａ，１５９ＢとＩＣ回路部１５１との結合部分Ｙの導通性の良・不良をより直接的に検出することができる。  
【００８９】
（４）ＩＣ回路部のバンプを露出させた場合
図２０（ａ）は、本変形例による無線タグＩＣ回路保持体Ｈの全体構造を表す縦断面図であり、図２０（ｂ）は図２０（ａ）中XXB−XXB′断面による断面図、図２０（ｃ）は図２０（ａ）中XXC−XXC′断面による断面図である。
【００９０】
図２０（ａ）及び図２０（ｂ）において、この変形例では、接続端子を設けずに、ＩＣ回路部１５１に複数のバンプ２１０Ａ、２１０Ａ２，２１０Ｂ、２１０Ｂ２を設け、そのうち一部のバンプ２１０Ａ，２１０Ｂに直接導電性の（例えば異方性導電性フィルム、いわゆるＡＣＦからなる）接着剤層Ｊを設け、これを介してアンテナ１５２Ａ，１５２Ｂと接続されている。このとき、ベースフィルム１０１ｂにおけるアンテナ１５２Ａ，１５２Ｂが存在しない位置に開口部２００（第３開口部）を設け、接着剤層Ｊをこのベースフィルム１０１ｂの開口部２００及びアンテナ１５２Ａ，１５２Ｂの開口部２０１を避けるように設けることによって、ＩＣ回路部１５１の一部のバンプ２１０Ａ２，２１０Ｂ２（露出部２１０Ｘ）を無線タグＩＣ回路保持体Ｈの厚さ方向一方側（この例ではベースフィルム１０１ｂ側）に向かって露出させた構造としている。
【００９１】
本変形例によれば、アンテナ１５２Ａ，１５２Ｂや導電性の接着剤層Ｊに開口部を設けなくても、上記実施形態と同様、ベースフィルム１０１ｂ（タグ基材）の開口部２００を介し、無線タグＩＣ回路保持体Ｈの厚さ方向一方側よりバンプ２１０Ａ，２１０Ｂの露出部２１０Ｘに前述の導通検査用のプローブ等を接触させて、バンプ２１０Ａ，２１０ＢとＩＣ回路部１５１との結合部分Ｙの導通性の良・不良をより直接的に検出することができる。なお、ベースフィルム１０１ｂの開口部２００は、図示のような長円形の貫通孔としてもよいし、これに代えてＵ字状切欠き、スリット等を用いてもよい。
【００９２】
（５）その他
以上においては、カートリッジ１００等の内部を移動中の基材テープ１０１に対して無線タグ情報の書き込み・読み取りや印字を行う例を示したが、これに限られず、基材テープ１０１等を所定位置で停止させて（さらに読み取り・書き込みについては所定の搬送ガイドにて保持した状態としてもよい）上記印字や読み取り・書き込みを行うようにしてもよい。
【００９３】
さらに、以上において、長手方向に複数の無線タグ回路素子Ｔoが順次形成された基材テープ１０１を第１ロール１０２に巻き回したカートリッジ１００を用いたが、これに限られず、それぞれに１つの無線タグ回路素子Ｔoが形成された平紙状の複数のラベル素材を、平積み方向に積層して収納するトレイ部材（いわゆるスタックタイプのもの）を無線タグ回路素子収納部として用いてもよい。
【００９４】
また、カートリッジ１００のようなタグラベル作成装置２の本体側に着脱可能なものにも限られず、装置本体側に着脱不能のいわゆる据え付け型あるいは一体型のものを用い、その中に上記第１ロール１０２を設けてもよい。この場合も同様の効果を得る。
【００９５】
また、以上において、印字及び無線タグ回路素子Ｔoへのアクセス（読み取り又は書き込み）の終了した印字済みタグラベル用テープ１１０をカッタ１５で切断してタグラベルＴを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタ１５で切断しなくても、テープが排出口１６から排出されてきた後にラベル台紙（アクセス済みの無線タグ回路素子Ｔoが備えられかつ対応する印字がなされたもの）のみをテープから剥がしてタグラベルＴを作成しても良く、本発明はこのようなものに対しても適用できる。
【００９６】
また、以上においては、無線タグ回路素子Ｔoを備えた基材テープ１０１とは別のカバーフィルム１０３に印字を行ってこれらを貼り合わせる方式であったが、これに限られず、タグテープに備えられたカバーフィルムに印字を行う方式（貼りあわせを行わないタイプ）に本発明を適用してもよい。さらに、無線タグ回路素子ＴoのＩＣ回路部１５１から無線タグ情報の読み出し又は書き込みを行うと共に、印字ヘッド１０によってその無線タグ回路素子Ｔoを識別するための印刷を行うものにも限られない。この印刷は必ずしも行われなくともよく、無線タグ情報の読み出し又は書き込みのみを行うものに対し本発明を適用することもできる。
【００９７】
また、以上既に述べた以外にも、上記実施形態や各変形例による手法を適宜組み合わせて利用しても良い。
【００９８】
その他、一々例示はしないが、本発明は、その趣旨を逸脱しない範囲内において、種々の変更が加えられて実施されるものである。
【図面の簡単な説明】
【００９９】
【図１】本発明の一実施形態の無線タグＩＣ回路保持体を含む無線タグラベルを生成するタグラベル作成装置を有する無線タグ生成システムを表すシステム構成図である。
【図２】図１に示したタグラベル作成装置の詳細構造を表す概念的構成図である。
【図３】図２に示した高周波回路の詳細機能を表す機能ブロック図である。
【図４】図１に示したタグラベル作成装置に備えられたカートリッジの詳細構造を説明するための説明図である。
【図５】図４に示した第１ロールの、より詳細な構造を表す概念的側面図である。
【図６】無線タグＩＣ回路保持体及びその周辺部の詳細構造を表す、図４の部分拡大図中VI−VI′断面による矢視断面図である。
【図７】図６中Ａ部を抽出して示す部分拡大上面図である。
【図８】図７中VIII−VIII′断面による側断面図及び下面図である。
【図９】図８中IXA−IXA′断面で見た図、及び図８中IXB−IXB′断面で見た図である。
【図１０】無線タグ回路素子Ｔoの機能的構成を表す機能ブロック図である。
【図１１】無線タグラベルの外観の一例を表す上面図及び下面図である。
【図１２】図１１中XII−XII′断面による横断面図である。
【図１３】図１１中XIII−XIII′断面による横断面図である。
【図１４】無線タグ回路素子のＩＣ回路部の無線タグ情報へのアクセスに際して、端末又は汎用コンピュータに表示される画面の一例を表す図である。
【図１５】図８に示した無線タグＩＣ回路保持体を構成するための製造手順の一例を表す説明図である。
【図１６】図８に示したＩＣ回路部の導通検査を行う様子を表す断面図である。
【図１７】ベースフィルムの第１開口部をアンテナが存在しない部分に設けた変形例による無線タグＩＣ回路保持体の全体構造を表す側断面図、図１７（ａ）中XVIIB−XVIIB′断面で見た一部透視図、図１７（ａ）中XVIIC−XVIIC′断面で見た図である。
【図１８】保護フィルムに、上開口部を設けた変形例による無線タグＩＣ回路保持体の全体構造を表す縦断面図、図１８（ａ）に示す構造の上面図である。
【図１９】保護フィルムから接続端子をはみ出させて露出部とした変形例による無線タグＩＣ回路保持体の全体構造を表す縦断面図、図１９（ａ）に示す構造の下面図である。
【図２０】ＩＣ回路部のバンプを露出させた変形例による無線タグＩＣ回路保持体の全体構造を表す縦断面図、図２０（ａ）中XXB−XXB′断面による断面図、図２０（ａ）中XXC−XXC′断面による断面図である。
【符号の説明】
【０１００】
１０１ｂ      ベースフィルム（タグ基材）
１５１        ＩＣ回路部
１５２Ａ  アンテナ
１５２Ｂ    アンテナ
１５９Ａ    接続端子（導通手段）
１５９Ｂ    接続端子（導通手段）
１５９ｃ    突出部
１５９ｄ    突出部
１５９Ｘ    露出部
１６０      保護フィルム（保持部材）
２００Ａ    開口部（第１開口部）
２００Ｂ    開口部（第１開口部）
２０１Ａ    開口部（アンテナ開口部）
２０１Ｂ    開口部（アンテナ開口部）
２０２Ａ    連通用開口部
２０２Ｂ    連通用開口部
２１０Ａ    バンプ（導通手段）
２１０Ｂ    バンプ（導通手段）
２２０Ａ    開口部（第２開口部）
２２０Ｂ    開口部（第２開口部）
Ｈ          無線タグＩＣ回路保持体
Ｊ          接着剤層（導電性接着剤層）
【図１】
0004748305.tif 000002
【図２】
0004748305.tif 000003
【図３】
0004748305.tif 000004
【図４】
0004748305.tif 000005
【図５】
0004748305.tif 000006
【図６】
0004748305.tif 000007
【図７】
0004748305.tif 000008
【図８】
0004748305.tif 000009
【図９】
0004748305.tif 000010
【図１０】
0004748305.tif 000011
【図１１】
0004748305.tif 000012
【図１２】
0004748305.tif 000013
【図１３】
0004748305.tif 000014
【図１４】
0004748305.tif 000015
【図１５】
0004748305.tif 000016
【図１６】
0004748305.tif 000017
【図１７】
0004748305.tif 000018
【図１８】
0004748305.tif 000019
【図１９】
0004748305.tif 000020
【図２０】
0004748305.tif 000021